(57)【要約】【課題】取り扱いが容易なコンポスト装置を提供する。【解決手段】生ごみ投入口を開閉する上部扉１８を有するダンボール箱１２と、ダンボール箱１２の一方の側壁２０から対向する他方の側壁２２に貫通する支持棒１４と、支持棒１４の両端部を回転可能に支持する一対の脚部１６と、支持棒１４と間に掛けられた輪ゴム５２の張力によって上部扉１８が開かないように封止する封止板５０を備え、ダンボール箱１２が一対の脚部１６の間で回転できるようにした。【選択図】図１
0003160021.tif 000002
【実用新案登録請求の範囲】
【請求項１】
上部に生ごみ投入口を有するコンポスト容器と、前記コンポスト容器の側壁を支持する支持部材と、前記支持部材を支持する脚部を備え、
少なくとも前記コンポスト容器が前記支持部材に対して回転可能に支持されているか、もしくは前記支持部材が前記脚部に対して回転可能に支持されているかの何れかであることを特徴とするコンポスト装置。
【請求項２】
前記支持部材が、前記コンポスト容器の内側を通って前記側壁の外側から外側に貫通する１本の連続した棒状体で構成され、前記側壁の外側に位置する前記棒状体の両端部が前記脚部によって支持されていることを特徴とする請求項１に記載のコンポスト装置。
【請求項３】
前記コンポスト容器は上部が開閉可能なダンボール箱で構成され、前記ダンボール箱の閉じられた上部に重ねられた封止板と前記支持部材に掛けられた輪ゴムの張力によって前記生ごみ投入口を封止することを特徴とする請求項１または２に記載のコンポスト装置。
【請求項４】
上部に生ごみ投入口を有するコンポスト容器と、前記コンポスト容器の底壁を貫通する支持部材と、前記支持部材の前記底壁より下側を支持する脚部と、前記支持部材の前記底壁より上側に連結された攪拌部材を備え、
前記コンポスト容器が前記脚部に対して前記支持部材周りに回転可能に支持されていることを特徴とするコンポスト装置。
【考案の詳細な説明】
【技術分野】
【０００１】
本考案は、攪拌機能を備えたコンポスト装置に関する。
【背景技術】
【０００２】
日常生活で排出される生ごみの処理について、各家庭で減量化、堆肥化する試みが浸透してきている。家庭用の生ごみ処理装置としては、ダンボール箱や発泡スチロール箱などを利用した簡易な構造のコンポスト（一般にダンボールコンポストと呼ばれる。）が広く普及している。
ダンボールコンポストは、コンポスト容器となるダンボール箱の中にピートモスなどの基材と竹炭などを混入して微生物の棲息環境を創出し、ここに家庭からです生ごみを投入して適宜攪拌することで、微生物が生ごみを分解処理するというものである。生ごみは最終的に水、二酸化炭素、硝酸塩に分解され、大幅に減量化される。この硝酸塩を多量に含む基材は家庭菜園などの肥料として利用することができる。ダンボールコンポストでは好気性微生物による無臭処理を促進するため、生ごみを投入した後に適宜攪拌を行い、コンポスト容器内の隅々まで酸素を行き渡らせる必要がある（特許文献１参照）。
【先行技術文献】
【特許文献】
【０００３】
【特許文献１】実用新案登録第３１０４２８８号公報
【考案の概要】
【考案が解決しようとする課題】
【０００４】
特許文献１に開示された装置は、ダンボール箱を円筒部材の内側に固定し、円筒部材をローラで支持するという構成であり、円筒部材をローラ上で回転させるとダンボール箱が回転し、生ごみと基材が攪拌されるようになっている。しかし使用可能なダンボール箱は円筒部材に適合する大きさや形状のものに限られるため、手持ちのダンボール箱がそのまま使用できるとは限らず汎用性に乏しい。そこで予めサイズの異なるいくつかの円筒部材を用意しておき、ダンボール箱の大きさやサイズに応じて使い分けることも考えられるが、円筒部材の保管場所が必要になり、我が国の住宅事情を鑑みると現実的ではない。またダンボール箱に生ごみを投入する際には円筒部材を一旦分解し、投入後には組み立てる作業が必要になるため、煩わしい上に非力な女性や老人にとっては非常な重労働である。さらに円筒部材を回転させるために複数のローラを用いるなど比較的複雑な構造を採用しているため、コスト高になるだけではなく、相応の保守管理を必要とする。
そこで本考案は、攪拌機能を備えつつ取り扱いが容易なコンポスト装置を提供することを目的とする。
【課題を解決するための手段】
【０００５】
本考案の第１の態様のコンポスト装置は、上部に生ごみ投入口を有するコンポスト容器と、前記コンポスト容器の側壁を支持する支持部材と、前記支持部材を支持する脚部を備え、少なくとも前記コンポスト容器が前記支持部材に対して回転可能に支持されているか、もしくは前記支持部材が前記脚部に対して回転可能に支持されているかの何れかであることを特徴とする。
支持部材に対してコンポスト容器が回転するか、もしくは脚部に対して支持部材が回転すればコンポスト容器は脚部に対して回転し、内容物を攪拌することができる。
支持部材は、１本の連続した棒状体もしくは非連続の２本の棒状体で構成することができる。１本の連続した棒状体であれば、コンポスト容器の内側を通って側壁の外側から外側に貫通させ、コンポスト容器の外側に位置する両端部を脚部で支持する。２本の非連続の棒状体であれば、コンポスト容器の内側を通さず、側壁の対向する２箇所にそれぞれ連結させればよいので、生ごみ等の出し入れの際に邪魔にならない。
コンポスト容器にはダンボール箱を用いることができる。ダンボール箱の上部は開閉可能な生ごみ投入口となるので回転中に開かないように、ダンボール箱の上部に重ねた封止板を支持棒に掛けられた輪ゴムの張力によってダンボール箱の上部に押し付ける。
本考案の第２の態様のコンポスト装置は、上部に生ごみ投入口を有するコンポスト容器と、前記コンポスト容器の底壁を貫通する支持部材と、前記支持部材の前記底壁より下側を支持する脚部と、前記支持部材の前記底壁より上側に連結された攪拌部材を備え、前記コンポスト容器が前記脚部に対して前記支持部材周りに回転可能に支持されていることを特徴とする。
脚部に対して回転可能なコンポスト容器と、脚部に対して少なくともコンポスト容器の回転方向における動きが拘束された攪拌部材の組み合わせにより、コンポスト容器の回転に伴って移動する内容物が静止している攪拌部材によって攪拌される。
【考案の効果】
【０００６】
本考案のコンポスト装置は簡素な構造であるため、取り扱いが容易であり、主婦やお年寄りが家庭で気軽にコンポスト作りを楽しむことができる。また製造にかかるイニシャルコストが低く、メンテナンスにも特別なスキルが必要ないことからランニングコストの面でも有利である。
本考案のコンポスト装置はコンポスト容器の回転によって攪拌を行うので、直接内容物に手を触れる必要がなく、腐植土や虫などに抵抗がある方でも気軽にコンポスト作りを楽しむことができる。
【図面の簡単な説明】
【０００７】
【図１】本発明の第１の実施形態のコンポスト装置の構成を示す斜視図
【図２】本発明の第１の実施形態のコンポスト容器の構成を示す斜視図
【図３】本発明の第１の実施形態のコンポスト装置の分解斜視図
【図４】本発明の第２の実施形態のコンポスト装置の構成を示す斜視図
【図５】本発明の第２の実施形態のコンポスト容器の構成を示す斜視図
【図６】本発明の第３の実施形態のコンポスト装置の構成を示す斜視図
【図７】本発明の第３の実施形態のコンポスト装置の攪拌機能を示す平面図（ａ）と側面図（ｂ）
【考案を実施するための形態】
【０００８】
本発明の第１の実施形態のコンポスト装置の構成について、図１および図２を参照して説明する。コンポスト装置１０は、ダンボール箱１２、支持棒１４および脚部１６を主要な部材として構成されている。ダンボール箱１２は投入された生ごみを分解処理するコンポスト容器であり、市販のダンボール箱を用いることができる。ダンボール箱１２の底壁は容易に開かないように閉鎖されており、その上にダンボール板などの補強用部材が敷設されている。上部は生ごみ投入口となるので、上部扉１８は完全には閉鎖せずに開閉可能な状態にしてある。ダンボール箱１２の対向する側壁２０、２２には、低剛性のダンボールを補強するための補強部材２４、２６がダンボール箱１２の内外両面にそれぞれ装着されている。ダンボール箱１２の内側面に装着された補強部材２６は、その上端の平坦部分２８が側壁２０、２２の上端近くに位置している。側壁２０、２２および補強部材２４、２６には、ダンボール箱１２の内外に貫通する孔３０が水平方向において対向する位置にそれぞれ形成されている。
【０００９】
補強板４０は２枚の平板を十字型に重ねたものであり、ダンボール箱の上部を補強する役割を担っている。補強板４０はダンボール箱１２から独立しており、使用にあたっては、一方の平板４２の両端部を補強部材２６の平坦部分２８に重ね、ダンボール箱１２の内側の上部に設置する。補強板４０はダンボール箱１２に生ごみを投入した後に設置し、生ごみ投入時にはダンボール箱１２から取り外し、生ごみ投入口６０を確保する。補強板４０の縦横寸法はダンボール箱１２の幅および奥行きの内寸と略同寸法である。形状は十字型以外であってもよく、例えば矩形の平板でもよい。
【００１０】
支持棒１４は断面が円形の棒状体である。支持棒１４は孔３０に挿入され、コンポスト容器１０の内側を通って一方の側壁２０から他方の側壁２２に貫通している。支持棒１４と孔３０の隙間から内容物が漏出しないように、支持棒１４の外径と孔３０の内径は略同程度に形成されているが、両者は固定されておらず、ダンボール箱１２は支持棒１４に対して回転可能である。
【００１１】
脚部１６は距離をおいて対向する一対ものとして構成されている。脚部１６間の距離は、脚部１６同士を連結する連結部４４の長さによって調整する。脚部１６には支持棒１４を挿入するための孔４６が水平方向において対向する位置にそれぞれ形成されている。ダンボール箱１２は、孔４６に両端部が挿入された支持棒１４によって脚部１６の間で水平に支持されている。孔４６の内径は支持棒１４の外径に比べて僅かに大きい程度に形成されているので、ダンボール箱１２は支持棒１４の軸周りに回転することができる。ダンボール箱１２の回転に支障がないように、孔４６はダンボール箱１２と連結部４４や地面、床面との間に十分な空間が確保できるような高さの位置に形成されている。
【００１２】
封止板５０はダンボール箱１２の閉じられた上部扉１８に重ねて用いるものであり、上部扉１８が開かないように封止する役割を担っている。封止板５０は長尺の板状体であり、その両端はダンボール箱１２の側壁２０、２２の外側に延出している。封止板５０は、その両端部と支持棒１４に掛けられた輪ゴム５２の張力によってダンボール箱１２の上部扉１８に押し付けられることで、ダンボール箱１２の回転中に上部扉１８が開かないように封止する。
【００１３】
コンポスト装置１０の使用にあたっては、図３に示すように最初にダンボール箱１２の底壁を下向きにした状態で封止板５０を取り外し、次に上部扉１８を開いて補強板４０を取り出し、ダンボール箱１２の上部に生ごみ投入口６０を確保する。生ごみ投入口６０から生ごみを投入したら、今度は逆に、最初に補強板４０をダンボール箱１２の内側の上部に設置し、次に上部扉１８を閉じ、最後に封止板５０でダンボール箱１２の上部を封止する。その後ダンボール箱１２に手を掛けて支持棒１４周りのモーメントを加え、ダンボール箱１２をゆっくりと数回回転させる。これによりダンボール箱１２に最初から混入されていたピートモス等と新たに投入された生ごみが適宜攪拌され、ダンボール箱１２内での好気性分解処理が促進される。
【００１４】
コンポスト装置１０はダンボール箱１２、支持棒１４および脚部１６を主要な構成部材とする極めて簡素な構造であるため、取り扱いが容易であり、主婦やお年寄りが家庭で気軽にコンポスト作りを楽しむことができる。また製造にかかるイニシャルコストが低く、メンテナンスにも特別なスキルが必要ないことからランニングコストの面でも有利である。ダンボール箱１２は梱包用のものを再利用することができ、支持棒１４と脚部１６には廃材を用いることができるので、環境にも優しいものになっている。予め一対の脚部１６間の距離を大きめに設定しておけば様々な大きさや形状のダンボール箱に対応することができる。
【００１５】
コンポスト容器はコンポストとしての用をなす限り材質は問われない。通気性や軽量性、入手の容易さなどを考慮するとダンボールが好適であるが、他にも発泡スチロールやプラスチック容器などの合成樹脂も用いることができる。
【００１６】
本発明の第２の実施形態のコンポスト装置７０について、図４および図５を参照して説明する。コンポスト装置７０は、支持棒が支持棒１４のように一本の連続した棒状体ではなく、２本の非連続の棒状体で構成されている点で第１の実施形態のコンポスト装置１０と異なる。ボルト７２は脚部１６の孔４６（図１参照）と、ダンボール箱１２の孔３０（図１参照）に脚部１６側から挿入されている。ボルト７２の先端にはダンボール箱１２の外側の補強部材２４側と内側の補強部材２６側からそれぞれナット７４が締結され、孔３０、４６から抜け落ちないようになっている。ボルト７２と孔３０、４６は固定されていないので、ボルト７２は脚部１６に対して回転可能であるとともに、ダンボール箱１２はボルト７２に対して回転可能である。
【００１７】
本発明の第３の実施形態のコンポスト装置８０について、図６および図７を参照して説明する。コンポスト装置８０は、ポリバケツ８２、支持棒８４、脚部８６および攪拌棒８８で構成されている。ポリバケツ８２の上部は生ごみ投入口９０であり、蓋９２によって開閉できるようになっている。ポリバケツ８２の底壁の中央には孔９４が形成されており、支持棒８４が鉛直方向に貫通している。支持棒８４は断面円形の棒状体であり、外周に螺子が形成された雄螺子状となっている。支持棒８４は、ポリバケツ８２の底壁より下側の部分が、脚部８６の水平部９８を上下から締結するナット９６によって脚部８６に固定されている。水平部９８の上面にはナット９６を囲む位置にスペーサ１００が設置されている。スペーサ１００はポリバケツ８２の底壁と広い面積で接してポリバケツ８２の姿勢を安定させている。スペーサ１００の上面に低摩擦係数素材を施しておくとポリバケツ８２を容易に回転させることができる。ナット１０２はポリバケツ８２の内側から支持棒８４に締結されている。ナット１０２は強く締めすぎるとポリバケツ８２の回転を妨げるので、ポリバケツ８２の底壁とスペーサ１００の間にポリバケツ８２の姿勢の安定を損なわない程度の隙間が開く程度に締結されている。
【００１８】
支持棒８４のポリバケツ８２の底壁より上側の部分には、径方向に貫通する孔１０４が形成されている。孔１０４は直交する２つの孔を１組として支持棒８４の鉛直方向に等間隔で３組形成されている。これらの６つの孔１０４には水平方向に延びる攪拌棒８８が装着されている。
【００１９】
ポリバケツ８２はコンポスト容器であり、上部の生ごみ投入口９０から生ごみを投入する。ポリバケツ８２を支持棒８４周りに回転させると基材や生ごみも一緒に移動しようとするが、攪拌棒８８は静止しているため、攪拌棒８８に接触した部分は移動が妨げられ、それ以外の部分だけが移動することになる。これを繰り返すことでポリバケツ８２内の攪拌が行われ、投入された生ごみが基材と混ざり合い、さらには酸素が全体に行き渡るようになる。
【００２０】
コンポスト容器はポリバケツ８２に限られないことは他の実施形態と同様である。また攪拌部材としては攪拌棒８８に限らず、板状のものや羽状のものなど様々な形状のものを使用することができる。その大きさや数についてもコンポスト容器の形状や容量に応じて選定することができる。
【符号の説明】
【００２１】
１０、７０、８０  コンポスト装置
１２  ダンボール箱
１４、８４  支持棒
１６、８６  脚部
１８  上部扉
２０、２２  側壁
４０  補強板
５０  封止板
５２  輪ゴム
６０、９０  生ごみ投入口
７２  ボルト
８２  ポリバケツ
８８  攪拌棒
【図１】
0003160021.tif 000003
【図２】
0003160021.tif 000004
【図３】
0003160021.tif 000005
【図４】
0003160021.tif 000006
【図５】
0003160021.tif 000007
【図６】
0003160021.tif 000008
【図７】
0003160021.tif 000009